(57)【要約】【課題】本発明は、光ファイバ素線そのものを、室内等の配線場所の美観を損なうことなく、容易に短時間で配線することを目的とする。【解決手段】本発明は、光ファイバ素線を収納して任意の場所に配線を行う光配線部材１０において、長尺状で当該長尺状の長手方向軸と直交する切断面が長方形状を成し、且つ柔軟性の有る合成樹脂材料により形成された基台１１と、基台１１にこの長手方向軸に沿って基台１１の前後端面に貫通する細長い空洞状で且つ光ファイバ素線を嵌合可能に形成された配線収納溝部１２と、基台１１の上面から開口して配線収納溝部１２に突き抜ける溝を長手方向軸に沿って形成した配線ガイド溝部１３とを備える。配線収納溝部１２と配線ガイド溝部１３との境界部分を、長手方向軸に沿った一定幅の隙間を介して互いに対向方向に突起し、これら突起間の隙間間隔が配線収納溝部１２の径よりも短い寸法の配線挿入間口１５とした。【選択図】図１
2009288382.tif 000002
【特許請求の範囲】
【請求項１】
光ファイバ素線を収納して任意の場所に配線を行う光配線部材において、
長尺状で当該長尺状の長手方向軸と直交する切断面が長方形状を成し、且つ柔軟性の有る合成樹脂材料により形成された基台と、
前記基台にこの長手方向軸に沿って当該基台の前後端面に貫通する細長い空洞状で且つ前記光ファイバ素線を嵌合可能に形成された配線収納溝部と、
前記基台の上面から開口して前記配線収納溝部に突き抜ける溝を、前記長手方向軸に沿って形成した配線ガイド溝部と、
を備え、
前記配線収納溝部と前記配線ガイド溝部との境界部分は、前記長手方向軸に沿った一定幅の隙間を介して互いに対向方向に突起し、これら突起間の隙間間隔が前記配線収納溝部の径よりも狭い寸法とされた配線挿入間口が形成され、この配線挿入間口から所定以上の押圧力で前記光ファイバ素線を前記配線収納溝部へ押し込むことが可能となっていることを特徴とする光配線部材。
【請求項２】
前記基台の下面に接着され、剥離紙を剥がすと粘着面が露出するシート状の剥離紙付粘着材、を更に備えることを特徴とする請求項１に記載の光配線部材。
【請求項３】
前記配線ガイド溝部が、前記基台の上面から開口して前記配線収納溝部にＶ字状に突き抜ける形状を成すことを特徴とする請求項１又は２に記載の光配線部材。
【請求項４】
前記基台の長手方向軸と直交する幅方向で且つ前記配線ガイド溝部よりも外側の両側部又は片側部に、当該基台を上下に貫通する切欠きを、前記長手方向軸に沿って少なくとも１つ以上設けたことを特徴とする請求項１から３に記載のいずれかの光配線部材。
【請求項５】
前記基台の前記配線ガイド溝部よりも外側の両側部に、前記基台の上面から開口して下面に向かう途中位置までＶ字状に切り取った第２の切欠きを、前記長手方向軸に沿って少なくとも１つ以上設けたことを特徴とする請求項１から３に記載のいずれかの光配線部材。
【請求項６】
前記基台の前記配線収納溝部の両側に、前記配線収納溝部に沿って補強部材を設けたことを特徴とする請求項１から５に記載のいずれかの光配線部材。
【請求項７】
前記配線収納溝部が、前記基台の長手方向軸に沿った細長い空洞に、当該長手方向軸と直交する幅方向に前記光ファイバ素線が複数本挿入可能なサイズの凹部が連通されて成ることを特徴とする請求項１から６に記載のいずれかの光配線部材。
【請求項８】
前記基台が、無色透明であることを特徴とする請求項１から７に記載のいずれかの光配線部材。
【請求項９】
前記光ファイバ素線に代え、シングルモード型光ファイバ素線、空孔アシストファイバ、プラスチック光ファイバ、光ファイバコード、ＬＡＮケーブル及び銅線の何れかを、前記配線収納溝部に収容することを特徴とする請求項１から８に記載のいずれかの光配線部材。
【請求項１０】
請求項１から９に記載のいずれかの光配線部材を用いて光ファイバ素線を配線する光配線部材を用いた配線方法において、
両端面及び当該両端面と平行な断面が三日月形の柱状を成し、三日月形の外周の弧面が入隅に設置される入隅設置面とされ、三日月形の内周の弧面が前記光配線部材の配設される光配線部材配設面とされ、前記光配線部材と同じ色の柔軟性の有る合成樹脂材料により形成された入隅スペーサを、前記光ファイバ素線の配線施工経路に入隅が有る場合は当該入隅に配設し、
両端面及び当該両端面と平行な断面がＬ字形の柱状を成し、且つＬ字形の内側が直角面、外側が凸状弧面となり、前記直角面が出隅に設置される出隅設置面とされ、前記凸状弧面が前記光配線部材の配設される光配線部材配設面とされ、前記光配線部材と同じ色の柔軟性の有る合成樹脂材料により形成された出隅スペーサを、前記光ファイバ素線の配線施工経路の出隅が有る場合は当該出隅に配設し、
前記配設される入隅スペーサ及び出隅スペーサの双方又は何れか一方の光配線部材配設面に、前記光ファイバ素線を配設することを特徴とする光配線部材を用いた配線方法。
【請求項１１】
前記入隅スペーサ及び前記出隅スペーサの双方の光配線部材配設面に、前記光配線部材の基台が嵌合する幅の溝である光配線部材嵌合溝を設けたことを特徴とする請求項１０に記載の光配線部材を用いた配線方法。
【発明の詳細な説明】
【技術分野】
【０００１】
本発明は、光ファイバ素線又は光ファイバコードを屋内に配線する際に使用する光配線部材及び光配線部材を用いた配線方法に関する。
【背景技術】
【０００２】
近年、情報通信社会の発展に伴い、大容量のデータ通信を行うことができる光ファイバ通信の導入が拡大し始めている。このため、一般家庭においても光ファイバを引き込むＦｉｂｅｒ  ｔｏ  Ｔｈｅ  Ｈｏｍｅ（以降、「Ｆｉｂｅｒ  ｔｏ  Ｔｈｅ  Ｈｏｍｅ」を「ＦＴＴＨ」と略記する。）の加入者が増加しており、屋内においても光ファイバを用いた情報通信のための配線システムが利用されるようになってきた。
【０００３】
ここで、光ファイバとは、被覆がないコアとクラッドのみの構造であり、光ファイバの表面をシリコーン樹脂で被覆したものを光ファイバ素線、光ファイバ素線をナイロンで被覆したものを光ファイバ芯線、光ファイバ芯線を高抗張力繊維と外皮で被覆したものを光ファイバコード、更に、複数の光ファイバ芯線に保護用のシースと呼ばれる被覆をしたものを光ファイバケーブルという。また、光ファイバと光ファイバ素線は半透明である。
【０００４】
従来、屋内に使用されている光ファイバケーブル又は光ファイバコードは、壁面や梁、柱やコーナ部において配線する場合、そのままで配線することができず、光ファイバケーブル又は光ファイバコードを壁面等に保持する光配線部材が必要となる。
【０００５】
光配線部材としては、光ファイバケーブル又は光ファイバコードを壁面に打ち付ける形で保持するステップル（例えば、特許文献１参照）がある。更に、予め壁面等に光ファイバケーブル又は光ファイバコードを収納するケースを配置固定し、光ファイバケーブル又は光ファイバコードを収納した後、ケースに蓋をする形で収納するワイヤプロテクタ（例えば、特許文献２参照）がある。これらの光配線部材は、光ファイバケーブル又は光ファイバコードなどの丈夫な材料で被覆されたものの配線を前提に構成されている。
【特許文献１】特許第３８４１７０７
【特許文献２】特願２００５−１９７７４８
【発明の開示】
【発明が解決しようとする課題】
【０００６】
ところで、近年のＦＴＴＨの拡大に応じて一般家庭での施工時に屋内配線工事の施工時間を短縮することや、光ファイバ素線そのもので屋内に配線することが要求されている。
【０００７】
しかし、光ファイバ素線を従来の光配線部材で保持して配線する場合、例えばステップルの間に光ファイバ素線を挟み込んで打ち付けて配線した場合、光ファイバ素線が細径で尚且つ被覆が丈夫でないため、光ファイバ素線に損傷を招く。更に、光ファイバ素線をワイヤプロテクタに挿入して配線した場合、光ファイバ素線が細径であるため、ワイヤプロテクタで十分に保持固定できず、光ファイバ素線がワイヤプロテクタ内で軸方向等にずれることでも光ファイバ素線に損傷を招く。これらの理由から光ファイバ素線そのものを光配線部材で配線することができないという課題があった。
【０００８】
例え光ファイバ素線を光配線部材のみならず他の補強部材と組み合わせて配線を行う場合でも、光ファイバ素線をステップルにより壁などに打ち付けて配線する作業は必要である。この際、光ファイバ素線が細径であるため手で把持しにくく、このため施工工事が困難となる。更に、ワイヤプロテクタを用いて光ファイバ素線を配線する場合、ワイヤプロテクタ内を光ファイバ素線が移動するので、配線がし辛くなり配線工事が困難となる。これらのように配線工事が困難であることから施工時間が掛かるという課題があった。
【０００９】
更には、ステップルをそのまま又は他の補強部材と組み合わせて壁面などに打ち付けること、ワイヤプロテクタを壁面などに設置することは、これらの光配線部材により屋内の美観を損ねるという課題もあった。
【００１０】
前記課題を解決するために、本発明は、光ファイバ素線そのものを、室内等の配線場所の美観を損なうことなく、容易に短時間で配線することを目的とする。
【課題を解決するための手段】
【００１１】
上記目的を達成するために、発明者らは、光ファイバ素線を収納して任意の場所に配線を行う光配線部材を、長尺状の細長い方形で柔軟性の有る合成樹脂材料により形成された基台と、基台に長手方向軸に沿って光ファイバ素線を挿入する細長い空洞状の配線収納溝部と、基台の上面から開口して配線収納溝部に突き抜ける長手方向軸に沿った配線ガイド溝部とを備えて形成し、光ファイバ素線を配線ガイド溝部から導入して配線収納溝部へ押し込んで挿入嵌合するようにした。
【００１２】
具体的には、光ファイバ素線を収納して任意の場所に配線を行う光配線部材において、長尺状で当該長尺状の長手方向軸と直交する切断面が長方形状を成し、且つ柔軟性の有る合成樹脂材料により形成された基台と、前記基台にこの長手方向軸に沿って当該基台の前後端面に貫通する細長い空洞状で且つ前記光ファイバ素線を嵌合可能に形成された配線収納溝部と、前記基台の上面から開口して前記配線収納溝部に突き抜ける溝を、前記長手方向軸に沿って形成した配線ガイド溝部と、を備え、前記配線収納溝部と前記配線ガイド溝部との境界部分は、前記長手方向軸に沿った一定幅の隙間を介して互いに対向方向に突起し、これら突起間の隙間間隔が前記配線収納溝部の径よりも狭い寸法とされた配線挿入間口が形成され、この配線挿入間口から所定以上の押圧力で前記光ファイバ素線を前記配線収納溝部へ押し込むことが可能となっていることを特徴とする光配線部材である。
【００１３】
この構成によれば、室内等の場所に光ファイバ素線を配線する場合、光配線部材を例えば接着手段で壁面等の配線施工経路に貼り付け、この後、配線ガイド溝部から光ファイバ素線を導入し更に光ファイバ素線を押し込んで配線挿入間口から配線収納溝部へ挿入して嵌合すればよい。従って、配線工事を容易に短時間で行うことができる。また、光配線部材は柔軟性の有る合成樹脂材料により形成されているので、光ファイバ素線を配線挿入間口から押し込んだ際に配線挿入間口の柔軟性の有る突起が下方に曲がりながら拡がり、配線収納溝部へ挿入されて嵌合される。この際、光ファイバ素線は柔軟性の有る合成樹脂材料との接触のみなので、光ファイバ素線が細径で尚且つ被覆が丈夫でなくても光ファイバ素線に損傷に至る力が加わることは無い。
【００１４】
本発明の光配線部材は、前記基台の下面に接着され、剥離紙を剥がすと粘着面が露出するシート状の剥離紙付粘着材、を更に備えることが望ましい。
【００１５】
この構成によれば、光ファイバ素線の配線時に、剥離紙付粘着材の剥離紙を剥がして光配線部材を配線施工経路に貼り付ければよいので、配線工事をより容易に短時間で行うことができる。
【００１６】
本発明の光配線部材は、前記配線ガイド溝部が、前記基台の上面から開口して前記配線収納溝部にＶ字状に突き抜ける形状を成すことが望ましい。
【００１７】
この構成によれば、配線ガイド溝部を、基台の上面から開口して配線収納溝部にＶ字状に突き抜ける形状とした場合、光ファイバ素線を導入する入口が広く当該入口からＶ字状に狭くなって配線挿入間口まで到達しているので、光ファイバ素線の導入が容易となる。即ち、光ファイバ素線が細径であるため手で把持しにくい場合でも、容易に短時間で取り付け作業を行うことができる。
【００１８】
本発明の光配線部材は、前記基台の長手方向軸と直交する幅方向で且つ前記配線ガイド溝部よりも外側の両側部又は片側部に、当該基台を上下に貫通する切欠きを、前記長手方向軸に沿って少なくとも１つ以上設けたことが望ましい。
【００１９】
この構成によれば、光配線部材に上記の切欠きを例えば複数形成すれば、光配線部材を幅方向に任意の角度に容易に曲げることができる。従って、途中で配線施工経路が湾曲していても、光配線部材をその湾曲に合わせて容易に曲げることができるので、配線工事を容易に短時間で行うことができる。また、切欠きの無い光配線部材を幅方向に、光ファイバ素線の許容曲げ半径以下とならない小径の曲げ半径を伴って直角や鋭角に曲げるとひび等の歪が生じたり断裂したりする。しかし、切欠きを入れることによって歪や断裂が生じないようにすることができるため、光配線部材の寿命も長くすることができる。
【００２０】
本発明の光配線部材は、前記基台の前記配線ガイド溝部よりも外側の両側部に、前記基台の上面から開口して下面に向かう途中位置までＶ字状に切り取った第２の切欠きを、前記長手方向軸に沿って少なくとも１つ以上設けたことが望ましい。
【００２１】
この構成によれば、光配線部材を基台に歪や破損が生じないように厚さ方向に曲げることができるので、部屋などの入隅や出隅にも配設することができる。
【００２２】
本発明の光配線部材は、前記基台の前記配線収納溝部の両側に、前記配線収納溝部に沿って補強部材を設けたことが望ましい。
【００２３】
この構成によれば、光配線部材の基台の抗張力を増すことができ、配線施工時に基台に加わる力を受け止めることができるため、基台の損傷を低減することができる。
【００２４】
本発明の光配線部材は、前記配線収納溝部が、前記基台の長手方向軸に沿った細長い空洞に、当該長手方向軸と直交する幅方向に前記光ファイバ素線が複数本挿入可能なサイズの凹部が連通されて成ることが望ましい。
【００２５】
この構成によれば、配線収納溝部に凹部を設けることによって、光配線部材に収納する光ファイバ素線の本数を増やすことができる。また、光ファイバ素線のように断面が丸型でなくとも平型の光ファイバコードでも収納することができる。
【００２６】
本発明の光配線部材は、前記基台が、無色透明であることが望ましい。
【００２７】
この構成によれば、基台が無色透明なので壁面等の取付け面に対して取付け面の色彩や形状、模様を透過することができる。光配線部材に収納される光ファイバ素線も無色透明なので同様に取付け面の色彩や形状、模様を透過することができる。このため、取付け面の美観を損ねることがない。
【００２８】
本発明の光配線部材は、前記光ファイバ素線に代え、シングルモード型光ファイバ素線、空孔アシストファイバ、プラスチック光ファイバ、光ファイバコード、ＬＡＮケーブル及び銅線の何れかを、前記配線収納溝部に収容することが望ましい。
【００２９】
また、具体的には、請求項１から９に記載のいずれかの光配線部材を用いて光ファイバ素線を配線する光配線部材を用いた配線方法において、両端面及び当該両端面と平行な断面が三日月形の柱状を成し、三日月形の外周の弧面が入隅に設置される入隅設置面とされ、三日月形の内周の弧面が前記光配線部材の配設される光配線部材配設面とされ、前記光配線部材と同じ色の柔軟性の有る合成樹脂材料により形成された入隅スペーサを、前記光ファイバ素線の配線施工経路に入隅が有る場合は当該入隅に配設し、両端面及び当該両端面と平行な断面がＬ字形の柱状を成し、且つＬ字形の内側が直角面、外側が凸状弧面となり、前記直角面が出隅に設置される出隅設置面とされ、前記凸状弧面が前記光配線部材の配設される光配線部材配設面とされ、前記光配線部材と同じ色の柔軟性の有る合成樹脂材料により形成された出隅スペーサを、前記光ファイバ素線の配線施工経路の出隅が有る場合は当該出隅に配設し、前記配設される入隅スペーサ及び出隅スペーサの双方又は何れか一方の光配線部材配設面に、前記光ファイバ素線を配設することを特徴とする光配線部材を用いた配線方法である。
【００３０】
この方法によれば、室内等の入隅に入隅スペーサ、出隅に出隅スペーサを配置固定することによって、光ファイバ素線の所定の曲げ半径を確保しながら光配線部材を曲げて配設することができる。また、入隅スペーサ及び出隅スペーサは、光配線部材と同じ無色透明で柔軟性の有る合成樹脂材料により形成されているので、入隅や出隅の取付け面に対して取付け面の色彩や形状、模様を透過することができる。このため、取付け面の美観を損ねることがない。
【００３１】
本発明の光配線部材を用いた配線方法は、前記入隅スペーサ及び前記出隅スペーサの双方の光配線部材配設面に、前記光配線部材の基台が嵌合する幅の溝である光配線部材嵌合溝を設けたことが望ましい。
【００３２】
この方法によれば、光配線部材嵌合溝で光配線部材が保持されるので、光配線部材を入隅に配設する際に光配線部材が脱落しないようにすることができる。
【発明の効果】
【００３３】
本発明によれば、光ファイバ素線そのものを、室内等の配線場所の美観を損なうことなく、容易に短時間で配線することができる光配線部材及び光配線部材を用いた配線方法を提供することができる。
【発明を実施するための最良の形態】
【００３４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００３５】
図１は、本発明の実施形態に係る光配線部材の構成を示す斜視図、図２は図１に示す光配線部材を当該光配線部材の長手方向軸と直交する平面で切断した際の断面図である。但し、図１に示す光配線部材１０は、長尺の光配線部材１０の一区間を切断して抜き出した部位であるとする。
【００３６】
本実施形態の光配線部材１０は、長尺の角棒状で当該角棒状の長手方向軸と直交する切断面が横長の長方形状を成し、且つ無色透明で柔軟性の有る合成樹脂材料により形成された基台１１と、この基台１１の長手方向軸に沿って図示せぬ光ファイバ素線が挿入され、基台１１の前後端面に貫通する概略円柱形状の空洞による配線収納溝部１２と、基台１１の上面から配線収納溝部１２にＶ字状に突き抜けて連通し、且つ長手方向軸に沿って形成されたＶ字溝による配線ガイド溝部１３と、基台１１の下面に接着されたシール状の剥離紙付粘着材１４とから構成されている。
【００３７】
配線収納溝部１２と配線ガイド溝部１３は、断面形状が円形状とＶ字状とを連通した鍵穴形状となっており、円形状とＶ字状との境界部分が、長手方向軸に沿った一定幅の隙間を介して互いに対向状態に突起する一対の突起部１５ａ，１５ｂとなっている。これら突起部１５ａ，１５ｂが対向する隙間が、光ファイバ素線を挿入する配線挿入間口１５となる。
【００３８】
図２に示すように、配線挿入間口１５の間隔Ｌ１は、配線収納溝部１２の直径Ｌ２よりも短い寸法であり、図３（ａ）から（ｂ）に示すように、光ファイバ素線１を配線ガイド溝部１３から導入して配線収納溝部１２に挿入嵌合した際に、光ファイバ素線１が配線収納溝部１２から容易に抜けない構造となっている。
【００３９】
つまり、配線挿入間口１５は、図３（ａ）に示すように、剥離紙付粘着材１４が例えば水平な床面に固着されている状態で、光ファイバ素線１を配線ガイド溝部１３から導入した時点では、光ファイバ素線１が突起部１５ａ，１５ｂの上に載置状態となって配線収納溝部１２には入らない。この載置状態の光ファイバ素線１を下方へ押し付けた際に、突起部１５ａ，１５ｂが配線収納溝部１２側へ撓んで、図３（ｂ）に示すように、光ファイバ素線１が配線収納溝部１２へ入り込み嵌合するように形成されている。
【００４０】
また、基台１１の合成樹脂材料には、例えば硬度８９度〜９６度のポリ塩化ビニル（ＰＶＣ）やアクリル樹脂（ＰＭＭＡ）、ポリカーボネート（ＰＣ）、フッ素樹脂（ＰＴＥＦ）といった熱可塑性樹脂、ポリエチレン（ＰＥ）やポリプロピレン（ＰＰ）等のプラスチック等が用いられる。
【００４１】
このような構成の光配線部材１０は、長短複数種類の長さのものがあるが、実際の施工では光ファイバ素線の配線場所に適合する長さのものが無ければ切断して用いる。ここで、例えば図４に示す室内３０において、矢印Ｐ１で示すように壁面３１ａの上部裏面側から光ファイバ素線を貫通して引き込む引込位置より、壁面３１ａに対して直角に接合する壁面３１ｂの下部のローゼット３２まで光ファイバ素線を配線するケースを想定する。ただし、配線途中に凸状の柱３３を通過させるものとする。
【００４２】
この配線を行う場合、符号４１で示す入隅スペーサと、符号４２で示す出隅スペーサ、並びに、符号１０−１で示す湾曲状の光配線部材が必要となる。この理由は、壁面３１ａと壁面３１ｂの角や、柱３３の角、及び柱３３と壁面３１ｂとの角を通過して取り付ける場合、並びに、直線状の光配線部材１０を水平状態から当該水平に対して垂直状態に湾曲させて取り付ける場合に、直線状の光配線部材１０を極小径の曲げ半径で直角や鋭角に曲げた場合、ひび割れが生じたり破損したりするためである。更なる理由として、例え直線状の光配線部材１０を角で突き合せたとしても、光ファイバ素線は所定の曲げ半径を確保しなければならず、極小径や所定の曲げ半径を伴い直角や鋭角に曲げて配線することができないからである。
【００４３】
まず、光配線部材１０−１の構成を、図５に示す光配線部材１０−１の平面図を参照して説明する。
光配線部材１０−１は、基台１１の配線ガイド溝部１３よりも外側の両側部（片側のみでもよい）に上下面をＶ字状に貫通する切欠き２１を、基台１１の長手方向軸に沿って所定間隔で設けたものである。光配線部材１０−１に示すＡは切欠き２１の間隔（切欠き間隔）、Ｂは切欠き２１の幅（切欠き幅）、Ｃは切欠き２１の深さ（切欠き深さ）、Ｄは切欠き２１の角度（切欠き角度）を表す。また、Wは光配線部材１０の長手方向軸と直交する寸法の幅を表す。
【００４４】
このような切欠き２１を設けることによって図６に示すように光配線部材１０−１を幅W方向へ任意の角度で曲げることができる。但し、図６に示す符号Rは基台１１の許容曲げ半径を示す。光配線部材１０−１の許容曲げ半径Ｒ、切欠き間隔Ａ、切欠き幅Ｂ、及び切欠き深さＣは次式（１）の関係がある。
【００４５】
（切欠き幅Ｂ／切欠き間隔Ａ）＝１−（切欠き深さＣ／許容曲げ半径Ｒ）  …（１）
【００４６】
例えば、許容曲げ半径Ｒ＝３ｍｍ、切欠き深さＣ＝２ｍｍとした時、上式（１）より切欠き間隔Ａ＝１８．９ｍｍ、切欠き幅Ｂ＝６．３ｍｍとなり、ここで、切り欠き角度Ｄ＝１８度とすると、切欠き２１の数が５つで９０度に曲げることが可能となる。
【００４７】
更に説明すると、図６に示すように、光配線部材１０−１を曲げた際の光配線部材１０−１は、図７に示すように変形する。この際の許容曲げ半径Ｒは、切欠き２１と切欠き２１との間にある基台１１の台形部分の弧Ａ及び弧Ｂによって計算することができる。
【００４８】
即ち、最外周の弧の長さＡは、角度Ｄを用いると次式（２）から求められる。
Ａ＝２π×（Ｄ／３６０）×Ｒ  …（２）
【００４９】
同様に内周の弧の長さＢは、角度Ｄを用いると次式（３）から求められる。
Ｂ＝２π×（Ｄ／３６０）×（Ｒ−Ｃ）  …（３）
【００５０】
上式（２）及び（３）から角度Ｄを除去すると、次式（４）となる。
Ａ／Ｒ＝Ｂ×（Ｒ−Ｃ）  …（４）
この式（４）を変形すると、Ｂ／Ａ＝１−（Ｃ／Ｒ）となって前述の式（１）となる。
【００５１】
次に、入隅スペーサ４１と出隅スペーサ４２について説明する。上述したように入隅スペーサ４１及び出隅スペーサ４２を使用する理由として、特に、光配線部材１０の中に挿入される光ファイバ素線は、破損防止のため光ファイバ素線の許容曲げ半径以下とならない小径の曲げ半径（以降単に、小径の曲げ半径という）で直角や鋭角状に曲げて配線することができず、所定の曲げ半径を確保しなければならない。例えば、光ファイバ素線としての空孔アシストファイバは曲げ半径５ｍｍ以上、ＳＭ（シングルモード）型光ファイバ素線は曲げ半径１５ｍｍ以上を確保することが必要である。
【００５２】
このため、例えば図８（ａ）に示すように、壁などの平面４４に柱等の凸状部位４５が固定されている場合に、平面４４と凸状部位４５との面が内側に付合わさる入隅には入隅スペーサ４１を配置固定する。また、（ｂ）に示すように、凸状部位４５の突出した角である出隅には出隅スペーサ４２を配置固定する。これらの配置固定によって、（ｃ）に示すように、光配線部材１０を所定の曲げ半径以上確保して配設することが可能となる。
【００５３】
このような入隅スペーサ４１及び出隅スペーサ４２は、基台１１と同じ無色透明で柔軟性の有る合成樹脂材料により形成されている。
【００５４】
入隅スペーサ４１は、図９（ａ）の斜視図に示すように、両端面及び当該両端面と平行な断面が三日月形の柱状を成し、三日月形の外周の弧面が入隅に設置される入隅設置面４１ａとされ、内周の弧面が光配線部材１０の配設される光配線部材配設面４１ｂとされている。
【００５５】
更に、入隅スペーサ４１は柔軟に曲げることや圧縮することができ、入隅スペーサ４１を床面に載置した状態で、矢印Ｆ１で示すように入隅設置面４１ａの上辺側から力を加えると、図９（ｂ）に示すように、入隅スペーサ４１が上下方向に縮み、光配線部材配設面４１ｂの上下辺の距離Ｇ１が短くなる。これは、距離Ｇ１が０ｍｍになるまで曲げや圧縮することができ、力Ｆ１を開放すると、この開放時の入隅スペーサ４１の反発力によって、自然に元の形に復元するようになっている。
【００５６】
出隅スペーサ４２は、図１０（ａ）の斜視図に示すように、両端面及び当該両端面と平行な断面がＬ字形の柱状を成し、且つＬ字形の内側が直角面、外側が凸状弧面となり、直角面が出隅に設置される出隅設置面４２ａとされ、凸状弧面が光配線部材１０の配設される光配線部材配設面４２ｂとされている。
【００５７】
更に、出隅スペーサ４２は柔軟に曲げることや圧縮することができ、出隅スペーサ４２を床面に載置した状態で、矢印Ｆ２で示すように出隅設置面４２ａの上辺側から力を加えると、図１０（ｂ）に示すように、出隅スペーサ４２が上下方向に縮み、光配線部材配設面４２ｂの上下辺の距離Ｇ２が短くなる。これは、距離Ｇ２が０ｍｍになるまで曲げや圧縮することができ、力Ｆ２を開放すると、この開放時の出隅スペーサ４２の反発力によって、自然に元の形に復元するようになっている。
【００５８】
また、入隅スペーサ４１及び出隅スペーサ４２は、その形状や大きさを変化させたり、角を取ったりすることで光配線部材１０の曲げ半径を容易に変化させることが可能となっている。
【００５９】
次に、光配線部材１０、入隅スペーサ４１及び出隅スペーサ４２を用いて光ファイバ素線を、図４に示すように室内３０に配線する際の手順を説明する。
【００６０】
まず、光ファイバ素線の引込位置Ｐ１からローゼット３２までの配線施工経路を定め、この配線施工経路上において必要な箇所に入隅スペーサ４１及び出隅スペーサ４２を固定する。このケースでは、壁面３１ａと３１ｂとの入隅、壁面３１ｂと柱３３との入隅、柱３３の出隅に固定する。この固定後、光配線部材１０を配線施工経路に適した長さに切断する。
【００６１】
また、配線施工経路に光配線部材１０を幅Ｗ方向に曲げなければならない曲がり部分があれば、光配線部材１０に複数の切欠き２１を設け、この切欠き２１が設けられた光配線部材１０−１を幅Ｗ方向に配線施工経路の曲がりに適合するように湾曲させる。但し、予め複数の切欠き２１が設けられた光配線部材１０−１を複数種類用意して、それを用いてもよい。
【００６２】
この用意した光配線部材１０，１０−１を、順次、剥離紙付粘着材１４の剥離紙を剥がしながら配線施工経路の所定位置に貼り付けて固定する。この場合、引込位置Ｐ１から湾曲状の光配線部材１０−１の一端までは、１本の光配線部材１０を貼り付けて固定することも可能であり、この場合、光配線部材１０−１の他端からローゼット３２までは短い光配線部材１０を固定する。
【００６３】
光配線部材１０，１０−１を配置固定した後、図１１に矢印Ｙ１で示すように、光ファイバ素線１を配線ガイド溝部１３から導入しながら押し込み、図１２に示すように配線収納溝部１２に嵌合して収納すればよい。
【００６４】
このように本実施形態によれば、光ファイバ素線を収納して任意の場所に配線を行う光配線部材１０を、長尺状で当該長尺状の長手方向軸と直交する切断面が長方形状を成し、且つ柔軟性の有る合成樹脂材料により形成された基台１１と、基台１１に長手方向軸に沿って基台１１の前後端面に貫通する細長い空洞状で且つ光ファイバ素線を嵌合可能に形成された配線収納溝部１２と、基台１１の上面から開口して配線収納溝部１２に突き抜ける溝を、長手方向軸に沿って形成した配線ガイド溝部１３とを備えて構成した。
【００６５】
更に、配線収納溝部１２と配線ガイド溝部１３との境界部分は、長手方向軸に沿った一定幅の隙間を介して互いに対向方向に突起した突起部１５ａ，１５ｂと成され、これら突起部１５ａ，１５ｂ間の隙間間隔Ｌ１が配線収納溝部１２の径Ｌ２よりも短い寸法とされた配線挿入間口１５と成され、この配線挿入間口１５から所定以上の押圧力で光ファイバ素線を配線収納溝部１２へ押し込むことが可能となっている。
【００６６】
この構成の光配線部材１０を用いて室内３０等の場所に光ファイバ素線を配線する場合、光配線部材１０を例えば接着手段で壁面３１ａ，３１ｂ等の配線施工経路に貼り付ける。この後、配線ガイド溝部１３から光ファイバ素線を導入し更に光ファイバ素線を押し込んで配線挿入間口１５から配線収納溝部１２へ挿入して嵌合すればよいので、配線工事を容易に短時間で行うことができる。
【００６７】
また、光配線部材１０は柔軟性の有る合成樹脂材料により形成されているので、光ファイバ素線を配線挿入間口１５から押し込んだ際に配線挿入間口１５の柔軟性の有る突起部１５ａ，１５ｂが下方に曲がりながら拡がり、配線収納溝部１２へ挿入されて嵌合される。この際、光ファイバ素線は柔軟性の有る合成樹脂材料との接触のみなので、光ファイバ素線が細径で尚且つ被覆が丈夫でなくても光ファイバ素線に損傷に至る力が加わることは無い。
【００６８】
また、光ファイバ素線が配線収納溝部１２に嵌合された状態では、光ファイバ素線が抵抗力の大きい合成樹脂材料に密着すると共に突起部１５ａ，１５ｂで押さえつけられているので、光ファイバ素線を十分に保持固定することができる。これによって、光ファイバ素線が配線収納溝部１２でずれて損傷することが無くなり、また、光配線部材１０から容易に抜けて落ちて損傷や破損に至ることもない。
【００６９】
また、光配線部材１０の基台１１の下面に、剥離紙を剥がすと粘着面が露出するシート状の剥離紙付粘着材１４を設けた場合、光ファイバ素線の配線時に、剥離紙付粘着材１４の剥離紙を剥がして配線施工経路に貼り付ければよいので、配線工事をより容易に短時間で行うことができる。
【００７０】
また、配線ガイド溝部１３を、基台１１の上面から開口して配線収納溝部１２にＶ字状に突き抜ける形状とした場合、光ファイバ素線を導入する入口が広く当該入口からＶ字状に狭くなって配線挿入間口１５まで到達しているので、光ファイバ素線の導入が容易となる。即ち、光ファイバ素線が細径であるため手で把持しにくい場合でも、容易に短時間で取り付け作業を行うことができる。
【００７１】
また、光配線部材１０−１のように、１乃至は複数の切欠き２１を形成して光配線部材１０−１を幅Ｗ方向に任意の角度に容易に曲げることができるようにした。これによって光配線部材１０−１を途中で小径の曲げ半径を伴い直角など配線に必要な角度で容易に曲げることができる。
【００７２】
従って、途中で配線施工経路が湾曲していても、光配線部材１０−１をその湾曲に合わせて容易に曲げることができるので、配線工事を容易に短時間で行うことができる。また、切欠き２１の無い光配線部材１０を幅Ｗ方向に小径の曲げ半径を伴い直角又は鋭角に曲げるとひび等の歪が生じたり断裂したりするが、切欠き２１を入れることによって歪や断裂が生じないようにすることができる。このため、光配線部材１０の寿命も長くすることができる。
【００７３】
また、光配線部材１０の合成樹脂材料は、無色透明なので壁面３１ａ等の取付け面に対して取付け面の色彩や形状、模様を透過することができる。光配線部材１０に収納される光ファイバ素線も無色透明なので同様に取付け面の色彩や形状、模様を透過することができる。このため、取付け面の美観を損ねることがない。
【００７４】
上記の光配線部材１０を固定した後、光ファイバ素線を挿入する方法の他に、光ファイバ素線１を予め光配線部材１０の配線収納溝部１２に収納しておき、この光ファイバ素線１が収納された光配線部材１０を配線施工経路に貼り付け固定するようにしてもよい。この配線方法の場合、光ファイバ素線を配線収納溝部１２に収納する手間がかからず、より配線工事が容易となり施工時間を短縮することが可能となる。
【００７５】
また、配線施工経路の途中に壁面３１ａ，３１ｂ同士が直角に接合する入隅や出隅、或いは壁面３１ａ，３１ｂに柱３３等が凸状に突き出た箇所の入隅や出隅が有る場合、光配線部材１０と同じ無色透明で柔軟性の有る合成樹脂材料により形成された入隅スペーサ４１及び出隅スペーサ４２を用いて配線工事を行うようにした。
【００７６】
即ち、両端面及び当該両端面と平行な断面が三日月形の柱状を成し、三日月形の外周の弧面が入隅に設置される入隅設置面４１ａと、内周の弧面が光配線部材１０の配設される光配線部材配設面４１ｂとを有する入隅スペーサ４１を入隅に配設する。
【００７７】
また、両端面及び当該両端面と平行な断面がＬ字形の柱状を成し、且つＬ字形の内側が直角面、外側が凸状弧面となり、直角面が出隅に設置される出隅設置面４２ａと、凸状弧面が光配線部材１０の配設される光配線部材配設面４２ｂとを有する出隅スペーサ４２を出隅に配設するようにした。
【００７８】
通常、光ファイバ素線は破損防止のため小径の曲げ半径で直角や鋭角に曲げて配線することができないので、所定の曲げ半径を確保しなければならない。このため、光ファイバ素線を光配線部材１０に相通したとしても入隅や出隅にはそのままで配線することはできない。
【００７９】
しかし、上記のように入隅スペーサ４１及び出隅スペーサ４２を配置固定することによって、光ファイバ素線の所定の曲げ半径を確保しながら光配線部材１０を曲げて配設することができる。
【００８０】
また、入隅スペーサ４１及び出隅スペーサ４２は、光配線部材１０と同じ無色透明で柔軟性の有る合成樹脂材料により形成されているので、入隅や出隅の取付け面に対して取付け面の色彩や形状、模様を透過することができる。このため、取付け面の美観を損ねることがない。
【００８１】
また、図１３（ａ）に示すように、入隅スペーサ４１−１の光配線部材配設面４１ｂに光配線部材１０の基台１１が嵌合する幅の溝である光配線部材嵌合溝４１ｃを設けもよい。この構成の場合、光配線部材嵌合溝４１ｃで光配線部材１０が保持されるので、光配線部材１０を入隅に配設する際に光配線部材１０が脱落しないようにすることができる。
【００８２】
更に、図１３（ｂ）に示すように、出隅スペーサ４２−１の光配線部材配設面４２ｂに光配線部材１０の基台１１が嵌合する幅の溝である光配線部材嵌合溝４２ｃを設けもよい。この構成の場合、光配線部材嵌合溝４２ｃで光配線部材１０が保持されるので、光配線部材１０を出隅に配設する際に光配線部材１０が脱落しないようにすることができる。
【００８３】
更に上記の他に、図１４に示すように、光配線部材１０−２の基台１１の配線収納溝部１２の両側に、配線収納溝部１２に沿って補強部材としてのテンションメンバ５１ａ，５１ｂを設けてもよい。
【００８４】
この構成の光配線部材１０−２の場合、基台１１の抗張力を増すことができ、配線施工時に基台１１に加わる力を受け止めることができるため、基台１１の損傷を低減することができる。
【００８５】
次に、上述した概略断面円形状の配線収納溝部１２に代え、図１５に示す溝形状の配線収納溝部１２−１を形成してもよい。この配線収納溝部１２−１は、基台１１の長手方向軸に沿った細長い空洞の断面が台形で、且つ、その台形の一方の隅部分から基台１１の幅Ｗ方向に複数本の光ファイバ素線が挿入可能なサイズの凹部１２ａを形成したものである。
【００８６】
このように配線収納溝部１２−１に凹部１２ａを設けることによって、光配線部材１０−３に収納する光ファイバ素線の本数を増やすことができる。また、光ファイバ素線のように断面が丸型でなくとも平型の光ファイバコードでも収納することができる。
【００８７】
次に、図１６に示すように、光配線部材１０−４の基台１１における配線ガイド溝部１３の両側部分に、上面から開口して下面に向かう厚さＴ方向にＶ字状に切り取った切欠き５３を、基台１１の長手方向軸に所定間隔で１乃至は複数形成してもよい。
【００８８】
この構成の光配線部材１０−４は、基台１１に歪や破損が生じないように厚さＴ方向に曲げることができるので、入隅や出隅にも配設することができる。また、曲げ半径Ｒは、前述で説明した切欠き２１が形成された光配線部材１０−１と同じ式（１）で求めることができる。つまり、幅Ｗ方向に切欠き２１を入れた光配線部材１０−１と同様に設定することができる。
【００８９】
以上の説明では、配線収納溝部１２に光ファイバ素線が収納されることを前提に説明したが、光ファイバ素線に代え、ＳＭ型光ファイバ素線、空孔アシストファイバ、プラスチック光ファイバ、光ファイバコード、ＬＡＮケーブル、銅線などを収容することも可能である。
【００９０】
なお、本発明は上記実施形態にそのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。
【産業上の利用可能性】
【００９１】
本発明の光配線部材及び光配線部材を用いた配線方法は、一般家庭においても光ファイバを引き込むＦＴＴＨ等において、光ファイバ素線又は光ファイバコードを屋内に配線する際に適用される。
【図面の簡単な説明】
【００９２】
【図１】本発明の実施形態に係る光配線部材の構成を示す斜視図である。
【図２】本実施形態の光配線部材を当該光配線部材の長手方向軸と直交する平面で切断した際の断面図である。
【図３】（ａ）本実施形態の光配線部材の配線挿入間口に光ファイバ素線が載置状態となった状態を示す断面図、（ｂ）配線収納溝部に光ファイバ素線が収納された状態を示す断面図である。
【図４】本実施形態の光配線部材を壁面に配設した状態の一例を示す図である。
【図５】本実施形態の光配線部材の両側部に上下に貫通する複数の切欠きを形成した際の構成を示す平面図である。
【図６】本実施形態の切欠きを形成した光配線部材を許容曲げ半径で直角に曲げた状態を示す平面図である。
【図７】本実施形態の切欠きを形成した光配線部材を許容曲げ半径で曲げた際の一部の変形状態を示す平面図である。
【図８】（ａ）本実施形態の入隅スペーサを平面と凸状部位との面が内側に付合わさる入隅に配置固定した状態を示す図、（ｂ）本実施形態の出隅スペーサを凸状部位の突出した角である出隅に配置固定した状態を示す図、（ｃ）入隅及び出隅に固定された入隅スペーサ及び出隅スペーサ上に光配線部材を配設した状態を示す図である。
【図９】（ａ）本実施形態の入隅スペーサの斜視図、（ｂ）入隅スペーサに力を加えて曲げた際の状態を示す斜視図である。
【図１０】（ａ）本実施形態の出隅スペーサの斜視図、（ｂ）出隅スペーサに力を加えて曲げた際の状態を示す斜視図である。
【図１１】本実施形態の光配線部材に光ファイバ素線を収納する前の状態を示す斜視図である。
【図１２】本実施形態の光配線部材に光ファイバ素線を収納した状態を示す斜視図である。
【図１３】（ａ）入隅スペーサに光配線部材嵌合溝を設けた構成を示す斜視図、（ｂ）出隅スペーサに光配線部材嵌合溝を設けた構成を示す斜視図である。
【図１４】本実施形態の光配線部材にテンションメンバを設けた構成を示す斜視図である。
【図１５】本実施形態の光配線部材の配線収納溝部にトンネル状の凹部を設けた構成を示す断面図である。
【図１６】本実施形態の光配線部材の両側部の厚さ方向に複数の切欠きを形成した際の構成を示す斜視図である。
【符号の説明】
【００９３】
１：光ファイバ素線
１０，１０-１，１０−２，１０−３，１０−４：光配線部材
１１：基台
１２，１２−１：配線収納溝部
１２ａ：凹部
１３：配線ガイド溝部
１４：剥離紙付粘着材
１５：配線挿入間口
１５ａ，１５ｂ：突起部
２１，５３：切欠き
３０：室内
３１ａ，３１ｂ：壁面
３２：ローゼット
３３：柱
４１：入隅スペーサ
４１ａ：入隅設置面
４１ｂ，４２ｂ：光配線部材配設面
４１ｃ，４２ｃ：光配線部材嵌合溝
４２：出隅スペーサ
４２ａ：出隅設置面
４４：平面
４５：凸状部位
５１ａ，５１ｂ：テンションメンバ
Ａ：切欠きの間隔又は最外周の弧の長さ
Ｂ：切欠きの幅又は内周の弧の長さ
Ｃ：切欠きの深さ
Ｄ：切欠きの角度
Ｒ：曲げ半径
W：光配線部材の幅
Ｔ：光配線部材の厚さ
Ｇ１：入隅スペーサの光配線部材配設面の上下辺の距離
Ｇ２：出隅スペーサの光配線部材配設面の上下辺の距離
Ｌ１：配線挿入間口の間隔
Ｌ２：配線収納溝部の断面直径
Ｐ１：光ファイバ素線の引込位置
【図１】
2009288382.tif 000003
【図２】
2009288382.tif 000004
【図３】
2009288382.tif 000005
【図４】
2009288382.tif 000006
【図５】
2009288382.tif 000007
【図６】
2009288382.tif 000008
【図７】
2009288382.tif 000009
【図８】
2009288382.tif 000010
【図９】
2009288382.tif 000011
【図１０】
2009288382.tif 000012
【図１１】
2009288382.tif 000013
【図１２】
2009288382.tif 000014
【図１３】
2009288382.tif 000015
【図１４】
2009288382.tif 000016
【図１５】
2009288382.tif 000017
【図１６】
2009288382.tif 000018